(57)【要約】【課題】回転容器内における抽選物の掬い上げ精度を向上するとともに傾斜支持台の排出孔の位置まで抽選物を確実に保持移動して持ち上げて、抽選物の繰り出し精度を向上させる回転式抽選器を提供すること。【解決手段】複数の抽選物Ｍを収容する回転容器１１０と、回転容器１１０を回転自在に支持する傾斜支持台１２０とを備え、抽選物Ｍが回転容器１１０の回転に伴って回転容器１１０の操出孔１１２ａと傾斜支持台１２０の排出孔１２１ａとを通過して１つずつ繰り出されるように設計され、抽選物保持用ポケット１６０が、回転容器１１０に形成された操出孔１１２ａの内周面と傾斜支持台１２０の表側プレート１２１の表面とで少なくとも創成されている回転式抽選器１００。【選択図】図１
2010009270.tif 000002
【特許請求の範囲】
【請求項１】
複数の抽選物を不規則に収容する回転容器と該回転容器の背面を回転自在に支持する傾斜支持台とを備え、前記抽選物が回転容器の回転に伴って回転容器の裏側プレートの周縁に形成された操出孔と傾斜支持台の表側プレートの上方に形成された排出孔とを通過して１つずつ繰り出される回転式抽選器であって、
前記回転容器内の下部領域で１つの抽選物を掬い上げて回転容器の操出孔と傾斜支持台の排出孔とを一致させる位置まで保持移動する抽選物保持用ポケットが、前記回転容器に形成された操出孔の内周面と傾斜支持台の表側プレート面とで少なくとも創成されていることを特徴とする回転式抽選器。
【請求項２】
前記抽選物保持用ポケット内の抽選物を移動規制する移動規制リブが、前記抽選物保持用ポケットの回転方向後方部に設けられていることを特徴とする請求項１記載の回転式抽選器。
【請求項３】
前記抽選物保持用ポケットが、前記回転容器の回転軸を中心として正多角形状または円形状に形成された内側壁の一部を外方に膨出させた膨出領域に配置されていることを特徴とする請求項１または請求項２記載の回転式抽選器。
【発明の詳細な説明】
【技術分野】
【０００１】
本発明は、回転容器内に収容された抽選物を回転容器の回転により１つずつ繰り出す回転式抽選器に関する。
【背景技術】
【０００２】
近年、回転容器を回転させることにより回転容器内に収容された抽選物を繰り出す抽選器は、所謂、ガラポン、ガラガラ、回転式福引器、回転式抽選器等として、商店街における景品やイベントにおける賞品を抽選するためなどに用いられている。
【０００３】
従来、抽選器として、対角稜に軸を有した回転可能な多角形容器と、多角形容器の一側面に抽出口と連続するとともに円板状の抽選物の直径とほぼ同じ幅を有する扁平斜溝と、多角形容器の回転に伴って移動して２つ以上の円板状の抽選物の潜入口への進入を直前に一時挟止するとともに多角形容器の回転につれ一時挟止した円板状の抽選物を開放する移動壁とを備えた抽選器が知られている（例えば、特許文献１参照。）。
【特許文献１】特許第７７４１４号公報
【発明の開示】
【発明が解決しようとする課題】
【０００４】
ところが、従来の抽選器では、多角形容器を回転させた際に複数の円板状の抽選物を同時に繰り出してしまうことはないものの、多角形容器の中で扁平斜溝が１つも円板状の抽選物を掬い取ることができない場合や、２つ以上の円板状の抽選物が潜入口に詰まってしまう場合があるため、多角形容器を回転させた際に１つも円板状の抽選物を繰り出すことができないことがあるという問題があった。
【０００５】
そこで、本発明は、従来の問題を解決するものであって、すなわち、本発明の目的は、回転容器内における抽選物の掬い上げ精度を向上するとともに傾斜支持台の排出孔の位置まで抽選物を確実に保持移動して持ち上げて、抽選物の繰り出し精度を向上させる回転式抽選器を提供することである。
【課題を解決するための手段】
【０００６】
請求項１に係る本発明は、複数の抽選物を不規則に収容する回転容器と該回転容器の背面を回転自在に支持する傾斜支持台とを備え、前記抽選物が回転容器の回転に伴って回転容器の裏側プレートの周縁に形成された操出孔と傾斜支持台の表側プレートの上方に形成された排出孔とを通過して１つずつ繰り出される回転式抽選器であって、前記回転容器内の下部領域で１つの抽選物を掬い上げて回転容器の操出孔と傾斜支持台の排出孔とを一致させる位置まで保持移動する抽選物保持用ポケットが、前記回転容器に形成された操出孔の内周面と傾斜支持台の表側プレート面とで少なくとも創成されていることにより、前述した課題を解決したものである。
【０００７】
請求項２に係る本発明は、請求項１記載の構成に加えて、前記抽選物保持用ポケット内の抽選物を移動規制する移動規制リブが、前記抽選物保持用ポケットの回転方向後方部に設けられていることにより、前述した課題を解決したものである。
【０００８】
請求項３に係る本発明は、請求項１または請求項２記載の構成に加えて、前記抽選物保持用ポケットが、前記回転容器の回転軸を中心として正多角形状または円形状に形成された内側壁の一部を外方に膨出させた膨出領域に配置されていることにより、前述した課題を解決したものである。
【０００９】
なお、本発明の回転式抽選器で言うところの「回転方向」とは、抽選物を繰り出すために回転容器を回転させる方向のことを意味している。
【発明の効果】
【００１０】
本発明は、複数の抽選物を不規則に収容する回転容器と回転容器の背面を回転自在に支持する傾斜支持台とを備え、抽選物が回転容器の回転に伴って回転容器の裏側プレートの周縁に形成された操出孔と傾斜支持台の表側プレートの上方に形成された排出孔とを通過して１つずつ繰り出される回転式抽選器であって、以下のような特有の構成に基づいた格別の作用効果を奏することができる。
すなわち、請求項１に係る本発明の回転式抽選器は、抽選物保持用ポケットが回転容器に形成された操出孔の内周面と傾斜支持台の表側プレート面とで少なくとも創成されていることにより、抽選物保持用ポケットが回転容器内の下部領域に溜まった複数の抽選物から１つの抽選物を掬い上げて回転容器の操出孔と傾斜支持台の排出孔とを一致させる位置まで保持移動するため、回転容器の回転ごとに１つの抽選物を回転容器の操出孔と傾斜支持台の排出孔とを通過させて確実に繰り出すことできる。
【００１１】
請求項２に係る本発明の回転式抽選器によれば、請求項１記載の回転式抽選器が奏する効果に加えて、移動規制リブが抽選物保持用ポケットの回転方向後方部に設けられていることにより、移動規制リブが抽選物保持用ポケット内の抽選物を移動規制する、すなわち、抽選物保持用ポケットを用いて抽選物を掬い上げる際に移動規制リブが抽選物保持用ポケット内に抽選物を誘導案内するとともに、傾斜支持台の上方に形成された排出孔まで抽選物を抽選物保持用ポケットで保持移動して持ち上げる際に移動規制リブが抽選物保持用ポケットからの抽選物の脱落を防止するため、抽選物保持用ポケットによる抽選物の保持効果を向上させて回転容器の回転ごとに１つの抽選物をより確実に繰り出すことができる。
【００１２】
請求項３に係る本発明の回転式抽選器によれば、請求項１または請求項２記載の回転式抽選器が奏する効果に加えて、抽選物保持用ポケットが、回転容器の回転軸を中心として正多角形状または円形状に形成された内側壁の一部を外方に膨出させた膨出領域に配置されていることにより、回転容器の回転に伴って抽選物保持用ポケットが回転容器の下部領域に位置する際に、抽選物保持用ポケットを配置した膨出領域に複数の抽選物がその自重によって溜まり易くなるため、抽選物保持用ポケットによる抽選物の掬い上げ精度をより一層向上できる。
【発明を実施するための最良の形態】
【００１３】
本発明の回転式抽選器は、複数の抽選物を不規則に収容する回転容器と回転容器の背面を回転自在に支持する傾斜支持台とを備え、抽選物が回転容器の回転に伴って回転容器の裏側プレートの周縁に形成された操出孔と傾斜支持台の表側プレートの上方に形成された排出孔とを通過して１つずつ繰り出されるように設計され、回転容器内の下部領域で１つの抽選物を掬い上げて回転容器の操出孔と傾斜支持台の排出孔とを一致させる位置まで保持移動する抽選物保持用ポケットが、回転容器に形成された操出孔の内周面と傾斜支持台の表側プレート面とで少なくとも創成されて、回転容器内における抽選物の掬い上げ精度を向上するとともに傾斜支持台の排出孔の位置まで抽選物を確実に保持移動して持ち上げて、抽選物の繰り出し精度を向上させるものであれば、その具体的な実施の態様は、如何なるものであっても何ら構わない。
【００１４】
例えば、本発明の回転式抽選器で用いられる抽選物の具体的な形状については、円板状のもの、球形状のもの、角柱状のもの等の如何なる形状であっても良い。
【００１５】
また、本発明の回転式抽選器で用いられる回転容器の具体的な態様については、その内側壁が回転軸を中心とした円形状に形成されたもの、その内側壁が回転軸を中心とした正多角形状に形成されたもの等の如何なるものであっても良いが、その内側壁が正多角形状に形成された回転容器を採用した場合には、回転容器の回転に伴って回転容器内に収容された複数の抽選物をかき混ぜる、すなわち、抽選物の撹拌効果を発揮するので、より好ましい。
【００１６】
また、本発明の回転式抽選器で用いられる傾斜支持台の表側プレートの傾斜角度については、表側プレートと抽選物との間における摩擦具合、抽選物保持用ポケットによる抽選物の保持具合、回転容器に形成した操出孔からの抽選物の繰り出し具合等に応じて適宜に設定すれば良い。
【００１７】
そして、本発明の回転式抽選器の各構成部材の具体的材料については、板紙、ダンボール紙、プラスチック、金属などの如何なるものであっても良いが、板紙やダンボール紙を採用した場合には、軽量性を発揮するのは勿論のこと、各構成部材を分解して折り畳むことで優れた運搬性や収納性を発揮できる。
【実施例】
【００１８】
以下、本発明の一実施例である回転式抽選器１００を図面に基づいて説明する。
ここで、図１は、本発明の一実施例である回転式抽選器の全体斜視図であり、図２は、図１から回転容器の表側プレートの一部を切り欠いて示した斜視図であり、図３は、図１に示す回転式抽選器の断面図であり、図４は、抽選物保持用ポケットが回転容器の下部領域にある状態を示す説明図であり、図５は、図４に示す状態から回転容器を矢印方向に回転させた状態を示す説明図であり、図６は、図５に示す状態から回転容器を矢印方向に更に回転させた状態を示す説明図であり、図７は、回転容器の操出孔と傾斜支持台の排出孔とを一致させた状態を示す説明図である。
【００１９】
まず、本発明の一実施例である回転式抽選器１００は、図１に示すように、所謂、ガラポン、ガラガラ、回転式福引器等として、商店街における景品やイベントにおける賞品を抽選するためなどに用いられるものである。
【００２０】
本実施例の回転式抽選器１００は、図１乃至図３に示すように、複数の抽選物Ｍを不規則に収容する回転容器１１０と、回転容器１１０の背面を回転自在に支持する傾斜支持台１２０と、回転容器１１０と傾斜支持台１２０とを連結して回転容器１１０の回転軸として機能する連結ピン１３０と、回転容器１１０と傾斜支持台１２０との間に介在するスペーサ１４０と、回転容器１１０内から繰り出された抽選物Ｍを傾斜支持台１２０の下部で受け止める抽選物用トレイ１５０とを基本的な構成部材として備えている。
そして、回転式抽選器１００の各構成部材は、全て板紙から成形されている。
【００２１】
まず、回転容器１１０について、図１乃至図３に基づいて以下に説明する。
回転容器１１０は、図１乃至図３に示すように、複数の抽選物Ｍを不規則に収容するものであり、抽選物Ｍを回転容器１１０内に投入するための投入孔１１１ａと回転容器１１０の回転時に使用者が把持するハンドル１１１ｂとを有する表側プレート１１１と、操出孔１１２ａを周縁に有する裏側プレート１１２と、表側プレート１１１と裏側プレート１１２との間に介在する内側壁１１３とから構成されている。
また、操出孔１１２ａの回転方向後方部には、図２及び図３に示すように、内側壁１１３から回転容器１１０内に向けて突出する移動規制リブ１１４が設けられている。
そして、内側壁１１３は、図２に示すように、連結ピン１３０を中心とした略正八角形状、すなわち、その一部分を外方に向けて膨出させた略正八角形状で形成されており、このようにして形成された膨出領域Ｒに前述した回転容器１１０の操出孔１１２ａが配置されている。
【００２２】
なお、本発明の回転式抽選器１００で言うところの「回転方向」とは、抽選物Ｍを繰り出すために回転容器１１０を回転させる方向のことを意味している。
【００２３】
つぎに、傾斜支持台１２０について、図１乃至図３に基づいて以下に説明する。
傾斜支持台１２０は、図１乃至図３に示すように、排出孔１２１ａを上方に有するとともに前述した抽選物用トレイ１５０を設置するトレイ設置用孔１２１ｂを下方に有する表側プレート１２１と、この表側プレート１２１を約４５°傾斜させた状態で支持する立脚支持部１２２と、この立脚支持部１２２の内部に配置されて回転容器１１０内から繰り出された抽選物Ｍを抽選物用トレイ１５０までスライドさせるスロープ１２３とから構成されている。
【００２４】
そして、図２及び図３に示すように、回転容器１１０の裏側プレート１１２に形成された操出孔１１２ａの内周面と傾斜支持台１２０の表側プレート１２１の表面とは、回転容器１１０内の下部領域で１つの抽選物Ｍを掬い上げて回転容器１１０の操出孔１１２ａと傾斜支持台１２０の排出孔１２１ａとを一致させる位置まで保持移動する凹部状の抽選物保持用ポケット１６０として機能しており、この抽選物保持用ポケット１６０は、図４乃至図７に示すように、抽選物Ｍを１つだけ保持するような大きさで設計されている。
【００２５】
つぎに、本発明の回転式抽選器１００の具体的な作用について、図４乃至図７に基づいて以下に説明する。
最初に、抽選物Ｍを回転容器１１０内に供給する際、使用者は、回転容器１１０の表側プレート１１１に形成された投入孔１１１ａから抽選物Ｍを投入する。
なお、この抽選物Ｍの供給のタイミングは、回転容器１１０の回転位置に係らず、如何なるタイミングであっても良い。
【００２６】
ついで、前述したように回転容器１１０内に抽選物Ｍを収容した状態で、使用者は、回転容器１１０の表側プレート１１１に固着されたハンドル１１１ｂを利用して回転容器１１０を回転させる。
【００２７】
ついで、回転容器１１０の回転に伴って回転容器１１０の裏側プレート１１２に形成された操出孔１１２ａが回転容器１１０の下部領域に位置した際に、回転容器１１０の操出孔１１２ａの内周面と傾斜支持台１２０の表側プレート１２１とで創成された抽選物保持用ポケット１６０が抽選物Ｍを掬い上げる（図４参照。）。
【００２８】
ついで、図４に示す状態から更に回転容器１１０を回転させた際、抽選物保持用ポケット１６０によって保持された１つの抽選物Ｍ以外の抽選物Ｍがその自重により下方に向けて滑り落ちる（図５及び図６参照。）。
【００２９】
ついで、図６に示す状態から更に回転容器１１０を回転させて回転容器１１０の操出孔１１２ａと傾斜支持台１２０の排出孔１２１ａとを一致させた際、抽選物Ｍは、回転容器１１０の操出孔１１２ａと傾斜支持台１２０の排出孔１２１ａとを通って傾斜支持台１２０の内部に落下し、傾斜支持台１２０の内部に配置されたスロープ１２３を介して傾斜支持台１２０の下方に設置された抽選物用トレイ１５０に繰り出される（図７参照。）。
【００３０】
このようにして得られた本実施例の回転式抽選器１００は、抽選物保持用ポケット１６０が回転容器１１０に形成された操出孔１１２ａの内周面と傾斜支持台１２０の表側プレート１２１の表面とで創成されている。
したがって、抽選物保持用ポケット１６０が回転容器１１０内の下部領域に溜まった複数の抽選物Ｍから１つの抽選物Ｍを掬い上げて回転容器１１０の操出孔１１２ａと傾斜支持台１２０の排出孔１２１ａとを一致させる位置まで保持移動するため、回転容器１１０の回転ごとに１つの抽選物Ｍを回転容器１１０の操出孔１１２ａと傾斜支持台１２０の排出孔１２１ａとを通過させて確実に繰り出すことできる。
【００３１】
また、移動規制リブ１１４が、抽選物保持用ポケット１６０の回転方向後方部に設けられている。
したがって、移動規制リブ１１４が抽選物保持用ポケット１６０内の抽選物Ｍを移動規制する、すなわち、抽選物保持用ポケット１６０を用いて抽選物Ｍを掬い上げる際に移動規制リブ１１４が抽選物保持用ポケット１６０内に抽選物Ｍを誘導案内するとともに、傾斜支持台１２０の上方に形成された排出孔１２１ａまで抽選物Ｍを抽選物保持用ポケット１６０で保持移動して持ち上げる際に移動規制リブ１１４が抽選物保持用ポケット１６０からの抽選物Ｍの脱落を防止するため、抽選物保持用ポケット１６０による抽選物Ｍの保持効果を向上させて回転容器１１０の回転ごとに１つの抽選物Ｍをより確実に繰り出すことができる。
【００３２】
また、抽選物保持用ポケット１６０が、回転容器１１０の回転軸を中心として略正八角形状に形成された内側壁１１３の一部を外方に膨出させた膨出領域Ｒに配置されている。
したがって、回転容器１１０の回転に伴って抽選物保持用ポケット１６０が回転容器１１０の下部領域に位置する際に、抽選物保持用ポケット１６０を配置した膨出領域Ｒに複数の抽選物Ｍがその自重によって溜まり易くなるため、抽選物保持用ポケット１６０による抽選物Ｍの掬い上げ精度をより一層向上できるなど、その効果は甚大である。
【図面の簡単な説明】
【００３３】
【図１】本発明の一実施例である回転式抽選器の全体斜視図。
【図２】図１から回転容器の表側プレートの一部を切り欠いて示した斜視図。
【図３】図１に示す回転式抽選器の断面図。
【図４】抽選物保持用ポケットが回転容器の下部領域にある状態を示す説明図。
【図５】図４に示す状態から回転容器を矢印方向に回転させた状態を示す説明図。
【図６】図５に示す状態から回転容器を矢印方向に更に回転させた状態を示す説明図。
【図７】回転容器の操出孔と傾斜支持台の排出孔とを一致させた状態を示す説明図。
【符号の説明】
【００３４】
１００    ・・・  回転式抽選器
１１０    ・・・  回転容器
１１１    ・・・  表側プレート
１１１ａ  ・・・  投入孔
１１１ｂ  ・・・  ハンドル
１１２    ・・・  裏側プレート
１１２ａ  ・・・  操出孔
１１３    ・・・  内側壁
１１４    ・・・  移動規制リブ
１２０    ・・・  傾斜支持台
１２１    ・・・  表側プレート
１２１ａ  ・・・  排出孔
１２１ｂ  ・・・  トレイ設置用孔
１２２    ・・・  立脚支持部
１２３    ・・・  スロープ
１３０    ・・・  連結ピン
１４０    ・・・  スペーサ
１５０    ・・・  抽選物用トレイ
１６０    ・・・  抽選物保持用ポケット
Ｍ      ・・・  抽選物
Ｒ      ・・・  膨出領域
【図１】
2010009270.tif 000003
【図２】
2010009270.tif 000004
【図３】
2010009270.tif 000005
【図４】
2010009270.tif 000006
【図５】
2010009270.tif 000007
【図６】
2010009270.tif 000008
【図７】
2010009270.tif 000009